(57)【要約】【課題】平積み保管された角落しに使用することができる角落し吊冶具を提供する。【解決手段】角落し吊冶具１０は、棒状のリフティングビーム１１と、リフティングビーム１１の中央部の下方に取り付けられた吊フック連結棒１４と、吊フック連結棒１４の左右端部にそれぞれ取り付けられた２つの吊フック１５と、吊フック連結棒１４の中央部に取り付けられたかつ吊フック連結棒１４を介して２つの吊フック１５に掛け方向モーメントおよび脱方向モーメントを作用させるためのウエイト１６と、リフティングビーム１１の左右端部に下方に向けてそれぞれ取り付けられた２つのストッパ取付部材１７と、２つのストッパ取付部材１７に取外し可能にそれぞれ取り付けられた２つのストッパ１８とを具備する。【選択図】図１
2020060003.tif 000002
【特許請求の範囲】
【請求項１】
角落しを吊るための角落し吊冶具（１０）であって、
棒状のリフティングビーム（１１）と、
前記リフティングビームの中央部の下方に取り付けられた吊フック連結棒（１４）と、
前記吊フック連結棒の左右端部にそれぞれ取り付けられた２つの吊フック（１５）と、
前記吊フック連結棒の中央部に取り付けられた、かつ、前記吊フック連結棒を介して前記２つの吊フックに掛け方向モーメントおよび脱方向モーメントを作用させるためのウエイト（１６）と、
前記リフティングビームの左右端部に下方に向けてそれぞれ取り付けられた２つのストッパ取付部材（１７）と、
前記２つのストッパ取付部材に取外し可能にそれぞれ取り付けられた２つのストッパ（１８）と、
を具備することを特徴とする、角落し吊冶具。
【請求項２】
前記リフティングビームの中央部に下方に向けて取り付けられた吊りフック連結棒支持部材（１２）と、
前記リフティングビームの左右端部に下方に向けてそれぞれ取り付けられた２つの吊フック支持部材（１３）とをさらに具備し、
前記吊フック連結棒が、前記リフティングビームと平行になるように中央部が前記吊りフック連結棒支持部材に回転可能に支持されているとともに、左右端部が前記２つの吊フック支持部材にそれぞれ回転可能に支持されており、
前記２つの吊フックの上端部が、前記吊フック連結棒の左右端部にキー止めされて前記２つの吊フック支持部材にそれぞれ支持されており、
前記２つの吊フックの下端部が、前記角落し吊冶具の表面向きのフック部とされている、
ことを特徴とする、請求項１記載の角落し吊冶具。
【請求項３】
前記ウエイトに、前記２つの吊フックに前記掛け方向モーメントおよび前記脱方向モーメントを作用させるための引揚ワイヤー（１６ａ）の下端部が固定されていることを特徴とする、請求項１または２記載の角落し吊冶具。
【請求項４】
前記引揚ワイヤーを操作して前記吊フック連結棒を回転軸として前記ウエイトを回転させて前記角落し吊冶具の裏面側に倒すことにより、前記掛け方向モーメントが前記２つの吊フックに作用され、
前記引揚ワイヤーを操作して前記吊フック連結棒を回転軸として前記ウエイトを回転させて前記角落し吊冶具の表面側に倒すことにより、前記脱方向モーメントが前記２つの吊フックに作用される、
ことを特徴とする、請求項３記載の角落し吊冶具。
【請求項５】
前記２つの吊フック支持部材がそれぞれ、
横方向に所定の間隔をもって互いに対向する一対の板状部材と、
前記一対の板状部材のうち内側の板状部材の下端部に取り付けられた吊フック連結棒端部支持部材とを備え、
前記一対の板状部材の上端部が、前記リフティングビームの下面の左右端部にそれぞれ取り付けられており、
前記吊フック連結棒の左右端部が前記２つの吊フック支持部材の前記吊フック連結棒端部支持部材にそれぞれ回転可能に支持されており、
前記２つの吊フックの上端部が、前記一対の板状部材に挟まれて前記吊フック連結棒の左右端部にそれぞれ支持されている、
ことを特徴とする、請求項１乃至４いずれかに記載の角落し吊冶具。
【請求項６】
前記２つのストッパが、角落し保管場所（１２２）に平積み保管された前記角落し（５０，６０，７０）を前記角落し吊冶具を用いてそれぞれ吊り上げる際には、予め前記２つのストッパ取付部材からそれぞれ取り外され、前記角落しが前記角落し吊冶具を用いてそれぞれ吊り上げられると前記角落し保管場所で前記２つのストッパ取付部材にそれぞれ取り付けられることを特徴とする、請求項１乃至５いずれかに記載の角落し吊冶具。
【請求項７】
前記２つのストッパが、縦置き保管された前記角落し（１１１）を前記角落し吊冶具で吊り上げる際に、前記２つのストッパ取付部材にそれぞれ取り付けられたままとされることを特徴とする、請求項１乃至５いずれかに記載の角落し吊冶具。
【発明の詳細な説明】
【技術分野】
【０００１】
本発明は、海水取水路用の角落しを吊るのに好適な角落し吊冶具に関する。
【背景技術】
【０００２】
火力発電所や原子力発電所では、冷却用の海水を取り入れるための海水取水路が敷設されており、通常時には角落し（海水止水板）をクレーンで吊って海水取水口の戸溝（以下、「角落し戸溝」と称する。）から引き抜いて海水を取り入れ、海水取水路の点検や清掃等を行う際には角落しをクレーンで吊って角落し戸溝に挿入して海水を堰き止めている。
【０００３】
また、海水取水路の点検や清掃等の完了後には、角落し戸溝から引き抜いた角落しを、海水取水口から遠く離れた角落し保管場所に他の海水取水路で使用している角落しと一緒に縦に立てて保管（以下、「縦置き保管」と称する。）している。
【０００４】
例えば、後述する上段，中段および下段角落し５０，６０，７０（図３参照）と同じ寸法および荷重の６個の角落し１１１（横５ｍ×縦１．６ｍ×幅０．５ｍ、荷重約５ｔ）を縦横３個ずつ並べて縦置き保管する場合には、図６（ａ）に示すように、コンクリート基礎１１２（横４．１ｍ×縦１２ｍ×深さ０．５ｍ＝２４．６ｍ3）の上に、角落し１１１の転倒を防止するために、１６個の固定用コンクリート１１３ａ（横１ｍ×高さ１ｍ×幅０．５ｍ×１６個＝８ｍ3）を縦横４個ずつ格子状に立設して転倒防止用側壁１１３を設置するとともに、縦置き保管された角落し１１１を保護するために、固定用コンクリート１１３ａの角落し１１１と対向する面の両側端部に２個のゴム製緩衝材１１３ｂを取り付ける。
【０００５】
なお、下記の特許文献１には、リフティングビームの中央部に角落しゲート（角落し）の上端に固着したフックに係合または離脱するピンを取り付けるとともに、リフティングビームの両端部にストッパを取り付けて、角落しゲートをガイド溝（角落し戸溝）に入れる際にはストッパによって角落しゲートの下降を停止させてピンをフックから外してリフティングビームを角落しゲートから分離させるとともに、角落しゲートをガイド溝から抜き出す際にはピンをフックと係合させて角落しゲートを吊り上げられるようにした、角落しゲートの吊下装置が開示されている。
【先行技術文献】
【特許文献】
【０００６】
【特許文献１】特開昭６１−１１７３１７号公報
【発明の概要】
【発明が解決しようとする課題】
【０００７】
しかしながら、海水取水口から遠く離れた角落し保管場所に角落しを保管する場合には、海水取水口と角落し保管場所との間を運搬車等で角落しを運ぶことになるため、角落しを吊り替える必要があった。
そこで、図６（ｂ）に示すように、海水取水口１２１付近（クレーン１３１の旋回範囲の緑地帯）に角落し保管場所１２２を確保し、海水取水口１２１と角落し保管場所１２２との間にクレーン１３１（例えば、８０ｔクレーン）を置いて、角落し１１１を吊り替えなくても海水取水口１２１と角落し保管場所１２２との間を移動させるようにして、作業性の向上を図りたいという要請があった。
【０００８】
また、角落し保管場所１２２を海水取水口１２１付近に設けても、複数個の角落し１１１を縦置き保管する場合には転倒防止用側壁１１３に強度を持たせるために広い敷地での大掛かりな工事を必要とするため、角落し１１１を横に倒し平積みして保管（以下、「平積み保管」と称する。）しても使用できる角落し吊冶具を必要としていた。
【０００９】
なお、上記の特許文献１に開示された角落しゲートの吊下装置は、縦置き保管された角落しに使用することを前提としたものである。
【００１０】
本発明の目的は、平積み保管された角落しに使用することができる角落し吊冶具を提供することにある。
【課題を解決するための手段】
【００１１】
本発明の角落し吊冶具は、角落しを吊るための角落し吊冶具（１０）であって、棒状のリフティングビーム（１１）と、前記リフティングビームの中央部の下方に取り付けられた吊フック連結棒（１４）と、前記吊フック連結棒の左右端部にそれぞれ取り付けられた２つの吊フック（１５）と、前記吊フック連結棒の中央部に取り付けられた、かつ、前記吊フック連結棒を介して前記２つの吊フックに掛け方向モーメントおよび脱方向モーメントを作用させるためのウエイト（１６）と、前記リフティングビームの左右端部に下方に向けてそれぞれ取り付けられた２つのストッパ取付部材（１７）と、前記２つのストッパ取付部材に取外し可能にそれぞれ取り付けられた２つのストッパ（１８）とを具備することを特徴とする。
ここで、前記リフティングビームの中央部に下方に向けて取り付けられた吊りフック連結棒支持部材（１２）と、前記リフティングビームの左右端部に下方に向けてそれぞれ取り付けられた２つの吊フック支持部材（１３）とをさらに具備し、前記吊フック連結棒が、前記リフティングビームと平行になるように中央部が前記吊りフック連結棒支持部材に回転可能に支持されているとともに、左右端部が前記２つの吊フック支持部材にそれぞれ回転可能に支持されており、前記２つの吊フックの上端部が、前記吊フック連結棒の左右端部にキー止めされて前記２つの吊フック支持部材にそれぞれ支持されており、前記２つの吊フックの下端部が、前記角落し吊冶具の表面向きのフック部とされていてもよい。
前記ウエイトに、前記２つの吊フックに前記掛け方向モーメントおよび前記脱方向モーメントを作用させるための引揚ワイヤー（１６ａ）の下端部が固定されていてもよい。
前記引揚ワイヤーを操作して前記吊フック連結棒を回転軸として前記ウエイトを回転させて前記角落し吊冶具の裏面側に倒すことにより、前記掛け方向モーメントが前記２つの吊フックに作用され、前記引揚ワイヤーを操作して前記吊フック連結棒を回転軸として前記ウエイトを回転させて前記角落し吊冶具の表面側に倒すことにより、前記脱方向モーメントが前記２つの吊フックに作用されてもよい。
前記２つの吊フック支持部材がそれぞれ、横方向に所定の間隔をもって互いに対向する一対の板状部材と、前記一対の板状部材のうち内側の板状部材の下端部に取り付けられた吊フック連結棒端部支持部材とを備え、前記一対の板状部材の上端部が、前記リフティングビームの下面の左右端部にそれぞれ取り付けられており、前記吊フック連結棒の左右端部が前記２つの吊フック支持部材の前記吊フック連結棒端部支持部材にそれぞれ回転可能に支持されており、前記２つの吊フックの上端部が、前記一対の板状部材に挟まれて前記吊フック連結棒の左右端部にそれぞれ支持されていてもよい。
前記２つのストッパが、角落し保管場所（１２２）に平積み保管された前記角落し（５０，６０，７０）を前記角落し吊冶具を用いてそれぞれ吊り上げる際には、予め前記２つのストッパ取付部材からそれぞれ取り外され、前記角落しが前記角落し吊冶具を用いてそれぞれ吊り上げられると前記角落し保管場所で前記２つのストッパ取付部材にそれぞれ取り付けられてもよい。
前記２つのストッパが、縦置き保管された前記角落し（１１１）を前記角落し吊冶具で吊り上げる際に、前記２つのストッパ取付部材にそれぞれ取り付けられたままとされてもよい。
【発明の効果】
【００１２】
本発明の角落し吊冶具は、以下に示す効果を奏する。
（１）角落しを吊り上げる前に２つのストッパを２つのストッパ取付部材からそれぞれ取り外しておくことにより、平積み保管された角落しに使用することができる。
（２）角落しを複数に分割して平積み保管することにより、角落し保管場所を海水取水口付近に設けても広い敷地での大掛かりな工事を必要としないため、吊替作業なしで海水取水口と角落し保管場所との間をクレーンで角落しを移動させることができるので、作業工程を短縮して作業性の向上を図れるという効果を奏する。
（３）縦置き保管された角落しについても、２つのストッパを２つのストッパ取付部材にそれぞれ取り付けたままで使用することができる。
【図面の簡単な説明】
【００１３】
【図１】本発明の一実施例による角落し吊冶具１０の構成を示す正面図であり、（ａ）は２つのストッパ１８を２つのストッパ取付部材１７にそれぞれ取り付けた状態を示す図であり、（ｂ）は２つのストッパ１８を２つのストッパ取付部材１７からそれぞれ取り外した状態を示す図である。
【図２】三分割式の角落し４０の構成を示す正面図である。
【図３】上段、中段および下段角落し５０，６０，７０の構成を示す図であり、（ａ），（ｂ）は上段角落し５０の構成を示す正面図および右側面図であり、（ｃ），（ｄ）は中段角落し６０の構成を示す正面図および右側面図であり、（ｅ），（ｆ）は下段角落し７０の構成を示す正面図および右側面図である。
【図４】ウエイト１６の機能について説明するための角落し吊冶具１０の右側面側から見た概要図であり、（ａ）は上段角落し５０を角落し戸溝に挿入する場合について説明するための図であり、（ｂ）は上段角落し５０を角落し戸溝から引き抜く場合について説明するための図である。
【図５】角落し吊冶具１０の使用方法について説明するための概要図であり、（ａ）〜（ｆ）は平積み保管された角落し４０をクレーン１３１で吊る際の作業の流れを示す概要図である。
【図６】従来の角落し保管方法について説明するための図であり、（ａ）は６個の角落し１１１を縦置き保管する場合の角落し保管場所の一構成例を示す図であり、（ｂ）は従来の角落し保管方法の問題点について説明するための図である。
【発明を実施するための形態】
【００１４】
上記の目的を、２つのストッパをリフティングビームから取り外せるようにすることにより実現した。
【実施例１】
【００１５】
以下、本発明の角落し吊冶具の実施例について図面を参照して説明する。
まず、三分割式の角落し４０について図２および図３（ａ）〜（ｃ）を参照して説明する。
角落し４０は、図２に示すように、上段、中段および下段角落し５０，６０，７０に縦方向に３分割されている。
【００１６】
上段角落し５０は、図３（ａ），（ｂ）に示すように、Ｈ鋼からなる枠体の表面側に鋼板が取り付けられた構造の上段角落し扉体５１（横５ｍ×縦１．６ｍ×幅０．５ｍ、荷重約５ｔ）と、上段角落し扉体５１の上面の左右端部にそれぞれ取り付けられた２つの上段吊金具５２と、上段角落し扉体５１の裏面（鋼板の裏面）の左右下端部にそれぞれ取り付けられた２つの上段吊リング５３とを備える。
上段角落し扉体５１の下面には、２つの上段切欠部５１ａが２つの上段吊金具５２の真下にそれぞれ形成されている。
２つの上段吊金具５２はそれぞれ、軸方向が上段角落し扉体５１の横方向と平行にされた上段吊ピン５２ａを備える。
２つの上段吊リング５３は、上段角落し扉体５１の下面から同じ高さに取り付けられている。
【００１７】
同様に、中段角落し６０は、図３（ｃ），（ｄ）に示すように、Ｈ鋼からなる枠体の表面側に鋼板が取り付けられた構造の中段角落し扉体６１（横５ｍ×縦１．６ｍ×幅０．５ｍ、荷重約５ｔ）と、中段角落し扉体６１の上面の左右端部にそれぞれ取り付けられた２つの中段吊金具６２と、中段角落し扉体６１の裏面（鋼板の裏面）の左右下端部にそれぞれ取り付けられた２つの中段吊リング６３とを備える。
中段角落し扉体６１の下面には、２つの中段切欠部６１ａが２つの中段吊金具６２の真下にそれぞれ形成されている。
２つの中段吊金具６２はそれぞれ、軸方向が中段角落し扉体６１の横方向と平行にされた中段吊ピン６２ａを備える。
２つの中段吊リング６３は、中段角落し扉体６１の下面から同じ高さに取り付けられている。
【００１８】
下段角落し７０は、図３（ｅ），（ｆ）に示すように、Ｈ鋼からなる枠体の表面側に鋼板が取り付けられた構造の下段角落し扉体７１（横５ｍ×縦１．６ｍ×幅０．５ｍ、荷重約５ｔ）と、下段角落し扉体７１の上面の左右端部にそれぞれ取り付けられた２つの下段吊金具７２と、下段角落し扉体７１の裏面（鋼板の裏面）の左右下端部にそれぞれ取り付けられた２つの下段吊リング７３とを備える。
２つの下段吊金具７２はそれぞれ、軸方向が下段角落し扉体７１の横方向と平行にされた下段吊ピン７２ａを備える。
２つの下段吊リング７３は、下段角落し扉体７１の下面から同じ高さに取り付けられている。
なお、上段および中段角落し５０，６０では、積み重ねる際に２つの中段吊金具６２を２つの上段切欠部５１ａにそれぞれ挿入させるとともに２つの下段吊金具７２を２つの中段切欠部６１ａにそれぞれ挿入させる必要があるが、下段角落し７０ではこのような必要がないため、下段角落し扉体７１の下面には下段切欠部は形成されていない。
【００１９】
次に、本発明の一実施例による角落し吊冶具１０について図１（ａ），（ｂ）を参照して説明する。
本実施例による角落し吊冶具１０は、図１（ａ）に示すように、棒状のリフティングビーム１１と、吊りフック連結棒支持部材１２と、２つの吊フック支持部材１３と、吊フック連結棒１４と、２つの吊フック１５と、ウエイト１６（カウンターウエイト）と、２つのストッパ取付部材１７と、２つのストッパ１８と、２つの吊金具１９と、２本の吊ワイヤー２０と、吊リング２１とを具備する。
【００２０】
ここで、リフティングビーム１１は、棒状のビーム本体１１ａと、ビーム本体１１ａの左右端部にそれぞれ取り付けられた２つのガイド部材１１ｂとを備える。
２つのガイド部材１１ｂは、角落し吊冶具１０で上段、中段および下段角落し５０，６０，７０を吊って角落し戸溝に挿入したり角落し戸溝から引き抜いたりする際に角落し戸溝に挿入される。
そのため、２つのガイド部材１１ｂは、裏面側が上下に分離された側面視コの字状とされ、裏面（分離された上下部分の端面）には角落し吊冶具１０を角落し戸溝に沿って案内させるための案内ローラ（不図示）が１個ずつ取り付けられている。
【００２１】
吊りフック連結棒支持部材１２は、上端部がビーム本体１１ａの下面の中央部に取り付けられて、リフティングビーム１１の中央部に下方に向けて取り付けられている。
【００２２】
２つの吊フック支持部材１３はそれぞれ、横方向に所定の間隔をもって互いに対向する一対の板状部材と、一対の板状部材のうち内側の板状部材の外側面（ウエイト１６側の面）の下端部に取り付けられた吊フック連結棒端部支持部材とを備える。
２つの吊フック支持部材１３は、一対の板状部材の上端部がビーム本体１１ａの左右端部にそれぞれ取り付けられて、リフティングビーム１１の左右端部に下方に向けてそれぞれ取り付けられている。
【００２３】
吊フック連結棒１４は、ビーム本体１１ａと平行になるように中央部が吊フック連結棒支持部材１２に回転可能に支持されるとともに、左右端部が２つの吊フック支持部材１３の吊フック連結棒端部支持部材にそれぞれ回転可能に支持されて、リフティングビーム１１の中央部の下方に取り付けられている。
【００２４】
２つの吊フック１５は、上端部が２つの吊フック支持部材１３の一対の板状部材に挟まれて吊フック連結棒１４の左右端部にキー止めされてそれぞれ支持されて、吊フック連結棒１４の左右端部にそれぞれ取り付けられている。
２つの吊フック１５の下端部は、上段、中段および下段角落し５０，６０，７０の２つの上段、中段および下段吊ピン５２ａ，６２ａ，７２ａに掛止して上段、中段および下段角落し５０，６０，７０を吊れるように、角落し吊冶具１０の表面向きのフック部とされている。
【００２５】
ウエイト１６は、吊フック連結棒１４を介して２つの吊フック１５に掛け方向および脱方向モーメントを作用させるためのものであり、吊フック連結棒１４の中央部（フック連結棒支持部材１２の右隣り）に取り付けられている。
ウエイト１６には、２つの吊フック１５に掛け方向および脱方向モーメントを作用させるための引揚ワイヤー１６ａの下端部が固定されている。
すなわち、引揚ワイヤー１６ａを手で操作して吊フック連結棒１４を回転軸としてウエイト１６を回転させて角落し吊冶具１０の裏面側に倒すと、２つの吊フック１５を吊フック連結棒１４に対して略垂直に垂れ下がった状態として、掛け方向モーメントを２つの吊フック１５に作用させることができる（図４（ａ）の左側の図参照）。
また、引揚ワイヤー１６ａを手で操作して吊フック連結棒１４を回転軸としてウエイト１６を回転させて角落し吊冶具１０の表面側に倒すと、２つの吊フック１５を吊フック連結棒１４に対して角落し吊冶具１０の裏面側に約４５°下向きに倒れた状態として、脱方向モーメントを２つの吊フック１５に作用させることができる（図４（ａ）の左から３番目および４番目の図参照）。
【００２６】
２つのストッパ取付部材１７は、上端部がビーム本体１１ａの下面の左右端部に２つの吊フック支持部材１３を挟んでそれぞれ取り付けられて、リフティングビーム１１の左右端部に下方に向けてそれぞれ取り付けられている。
【００２７】
２つのストッパ１８は、上段、中段および下段角落し５０，６０，７０を角落し戸溝から引き抜くために角落し吊冶具１０を角落し戸溝に挿入していく際に、上段、中段および下段角落し扉体５１，６１，７１に当接させて、２つの上段、中段および下段吊ピン５２ａ，６２ａ，７２ａと２つの吊フック１５のフック部との間に若干の隙間が生じる位置で角落し吊冶具１０の下降を停止させるためのものである（図４（ｂ）の右から２番目の図参照）。
また、図１（ｂ）に示すように２つのストッパ１８を２つのストッパ取付部材１７からそれぞれ取り外せるように、４隅にボルト孔が形成された矩形状フランジが２つのストッパ取付部材１７の下面および２つのストッパ１８の上面に取り付けられており、４組のボルトおよびナットを用いて２つのストッパ１８を２つのストッパ取付部材１７にそれぞれ取り付けられるようにされている。
【００２８】
２つの吊金具１９は、リフティングビーム１１のビーム本体１１ａの上面の２つの吊フック支持部材１３の真上にそれぞれ取り付けられている。
【００２９】
２本の吊ワイヤー２０および吊リング２１は、角落し吊冶具１０をクレーンで２点吊りするためのものであり、２本の吊ワイヤー２０の下端部は２つの吊金具１９にそれぞれ取り付けられており、２本の吊ワイヤー２０上端部は吊リング２１に取り付けられている。
【００３０】
次に、ウエイト１６の機能について、上段角落し５０を角落し戸溝に挿入したり角落し戸溝から引き抜いたりする場合を例として図４（ａ），（ｂ）を参照して詳細に説明する。
【００３１】
上段角落し５０を角落し戸溝に挿入する際には、図４（ａ）の左側の図に矢印で示すように角落し吊冶具１０を用いて吊った上段角落し５０を下降させていく。
このとき、ウエイト１６を引揚ワイヤー１６ａによって角落し吊冶具１０の裏面側（同図紙面の右側）に倒して、掛け方向モーメント（同図で時計回りのトルク）を２つの吊フック１５に吊フック連結棒１４を介して作用させておく。
これにより、２つの吊フック１５が２つの上段吊ピン５２ａからそれぞれ外れないようにすることができる。
【００３２】
上段角落し５０が中段角落し６０に当接したのち、角落し吊冶具１０を若干下降させるとともに、引揚ワイヤー１６ａによって左から２番目および３番目の図に矢印で示すようにウエイト１６を角落し吊冶具１０の表面側（同図紙面の左側）に倒して、脱方向モーメント（同図で反時計回りのトルク）を２つの吊フック１５に吊フック連結棒１４を介して作用させる。
これにより、脱方向モーメントが２つの吊フック１５に作用して、２つの吊フック１５が２つの上段吊ピン５２ａからそれぞれ外れるため、左から４番目の図に矢印で示すように角落し吊冶具１０を上段角落し５０から外して引き上げることができる。
【００３３】
上段角落し５０を角落し戸溝から引き抜く際には、図４（ｂ）の左側の図に矢印で示すように角落し吊冶具１０を角落し戸溝に挿入していく。
このとき、ウエイト１６を引揚ワイヤー１６ａによって角落し吊冶具１０の裏面側に倒して、掛け方向モーメント（時計回りのトルク）を２つの吊フック１５に吊フック連結棒１４を介して作用させておく。
【００３４】
２つの吊フック１５のフック部が上段角落し５０の２つの上段吊ピン５２ａにそれぞれ当接すると、２つの吊フック１５は、左から２番目の図に矢印で示すようにウエイト１６の掛け方向モーメントによる付勢力に抗して反時計回りに回転し始める。
２つの吊フック１５のフック部の先端部が２つの上段吊ピン５２ａの下方にくると、２つの吊フック１５は、左から３番目の図に矢印で示すようにウエイト１６の掛け方向モーメントによって２つの上段吊ピン５２ａにそれぞれ掛止する。
また、右側の図に矢印で示すように上段角落し５０を吊り上げていく際に、ウエイト１６によって掛け方向モーメントを２つの吊フック１５に作用させることができるため、２つの吊フック１５が２つの上段吊ピン５２ａからそれぞれ外れないようにできる。
【００３５】
次に、角落し吊冶具１０の使用方法について図５を参照して説明する。
なお、上段、中段および下段角落し５０，６０，７０（角落し４０）は、海水取水口１２１付近（クレーン１３１の旋回範囲の緑地帯）の角落し保管場所１２２に（図６（ｂ）参照）、図５（ａ）に示すように表面を上にして尺角３１で緩衝させて下からこの順に平積みされているものとする。
【００３６】
海水取水路の点検や清掃等を行うためにまず下段角落し７０をクレーン１３１で吊る際には、作業員は、角落し吊冶具１０をクレーン１３１に２本の吊ワイヤー２０を用いて吊り下げる。
このとき、ウエイト１６は、角落し吊冶具１０の裏面側に倒して掛け方向モーメントが２つの吊フック１５に作用するようにしておく。
また、２つのストッパ１８は、２つの吊フック１５を２つの下段吊りピン７２ａに掛止する際に下段角落し扉体７１に当たらないように、２つのストッパ取付部材１７からそれぞれ取り外しておく。
【００３７】
その後、作業員は、クレーン１３１を操作して、２つの吊フック１５が２つの下段吊ピン７２ａにそれぞれ当接するように角落し吊冶具１０を下降させていく。
これにより、２つの吊フック１５が２つの下段吊ピン７２ａにそれぞれ掛止する（図４（ｂ）および図５（ｂ）参照）。
【００３８】
その後、作業員は、図５（ｂ）に示すように、上端部がクレーン１３１に取り付けられた２本の子吊ワイヤー３２（同図には１本の子吊ワイヤー３２のみ図示）の下端部を下段角落し扉体７１の裏面側（鋼板の裏面側）から２つの下段吊りリング７３にそれぞれ取り付ける。
【００３９】
その後、作業員は、クレーン１３１を操作して、図５（ｃ）に矢印で示すように下段角落し７０を横向きのまま吊り上げたのち、下段角落し７０を立てても中段角落し６０に当たらない位置まで下段角落し７０を移動させる。
【００４０】
その後、作業員は、クレーン１３１を操作して２本の子吊ワイヤー３２を下げていき、図５（ｄ），（ｅ）に矢印で示すように下段角落し扉体７１の下端部を下げていって、下段角落し７０を垂直に吊り下げる。
【００４１】
その後、作業員は、２本の子吊ワイヤー３２の下端部を２つの下段吊りリング７３からそれぞれ取り外すとともに、２つのストッパ１８を２つのストッパ取付部材１７にそれぞれ取り付けたのち、クレーン１３１を操作して、図５（ｆ）に矢印で示すように下段角落し７０を海水取水口１２１の角落し戸溝の上方まで移動させる。
【００４２】
その後、作業員は、クレーン１３１を操作して、下段角落し７０を角落し戸溝に挿入していく。
【００４３】
作業員は、２つのストッパ１８が下段角落し扉体７１の上面に当接したことを確認すると、引揚ワイヤー１６ａを手で操作してウエイト１６を角落し吊冶具１０の表面側に倒す。
これにより、２つの吊フック１５が２つの下段吊ピン７２ａからそれぞれ外れる（図４（ａ）参照）。
【００４４】
その後、作業員は、クレーン１３１を操作して、角落し吊冶具１０を引き上げ、角落し保管場所１２２の上方に移動させたのち、同様の手順で中段角落し６０および上段角落し５０の順で角落し戸溝に挿入していく。
【００４５】
海水取水路の点検や清掃等の完了後にまず上段角落し５０を角落し戸溝から引き抜く際には、作業員は、クレーン１３１を操作して、クレーン１３１で吊った角落し吊冶具１０を角落し戸溝の上方に移動させる。
このとき、２つのストッパ１８は２つのストッパ取付部材１７にそれぞれ取り付けておく。
また、引揚ワイヤー１６ａを手で操作してウエイト１６を角落し吊冶具１０の裏面側に倒して、掛け方向モーメントが２つの吊フック１５に作用するようにしておく。
【００４６】
その後、作業員は、クレーン１３１を操作して、角落し吊冶具１０を角落し戸溝に挿入していく。
【００４７】
２つの吊フック１５が上段角落し５０の２つの上段吊ピン５２ａにそれぞれ当接すると、２つの吊フック１５が２つの上段吊ピン５２ａにそれぞれ掛止する（図４（ｂ）参照）。
【００４８】
その後、作業員は、２つのストッパ１８が上段角落し扉体５１の上面に当接したことを確認すると、クレーン１３１を操作して、上段角落し５０を角落し戸溝から引き抜いたのち角落し保管場所１２２の上方に移動させる。
【００４９】
その後、作業員は、クレーン１３１を操作して、上段角落し５０を下降させたのち、２本の子吊ワイヤー３２の下端部を上段角落し扉体５１の裏面側（鋼板の裏面側）から２つの上段吊りリング５３にそれぞれ取り付けるとともに、２つのストッパ１８を２つのストッパ取付部材１７からそれぞれ取り外す。
【００５０】
その後、作業員は、クレーン１３１を操作して、２本の子吊ワイヤー３２を引き上げて表面を上にして上段角落し５０を横向きにしたのち、横向きにされた上段角落し５０を下げていき尺角３１の上に置く。
【００５１】
その後、作業員は、引揚ワイヤー１６ａを手で操作して、ウエイト１６を角落し吊冶具１０の表面側に倒す。
これにより、２つの吊フック１５が２つの上段吊ピン７２ａからそれぞれ外れる（図４（ａ）参照）。
【００５２】
その後、作業員は、２本の子吊ワイヤー３２を２つの上段吊りリング５３からそれぞれ取り外したのち、クレーン１３１を操作して角落し吊冶具１０を吊り上げたのち、２つのストッパ１８を２つのストッパ取付部材１７にそれぞれ取り付ける。
また、作業員は、引揚ワイヤー１６ａを手で操作してウエイト１６を角落し吊冶具１０の裏面側に倒し、掛け方向モーメントが２つの吊フック１５に作用するようにする。
【００５３】
その後、作業員は、クレーン１３１を操作して、角落し吊冶具１０を角落し戸溝の上方に移動させる。
【００５４】
その後、作業員は、同様に手順で、中段角落し６０を角落し戸溝から引き抜いて、角落し保管場所１２２に保管された上段角落し５０の上に尺角３１を介して平積みしたのち、下段角落し７０を角落し戸溝から引き抜いて、角落し保管場所１２２に保管された中段角落し６０の上に尺角３１を介して平積みする。
【００５５】
以上の説明では、三分割式の角落し４０について角落し吊冶具１０を使用したが、縦に複数個に分割された角落しを平積み保管する場合にも角落し吊冶具１０を使用することができる。
【００５６】
また、縦置き保管された角落し１１１についても、角落し吊冶具１０を用いて、角落し１１１を図４（ｂ）に示した手順で吊り上げたり、図４（ａ）に示した手順で角落し１１１を角落し戸溝に挿入したりできるとともに、図４（ｂ）に示した手順で上段角落し５０を角落し戸溝から引き抜いたり、図４（ａ）に示した手順で角落し１１１を縦置き保管したりできる。
この場合には、２つのストッパ１８は、角落し１１１に角落し吊冶具１０を取り付ける際に問題となることはないため、２つのストッパ取付部材１７にそれぞれ取り付けたままとすることができる。
【符号の説明】
【００５７】
１０  角落し吊冶具
１１  リフティングビーム
１１ａ  ビーム本体
１１ｂ  ガイド部材
１２  吊りフック連結棒支持部材
１３  吊フック支持部材
１４  吊フック連結棒
１５  吊フック
１６  ウエイト
１６ａ  引揚ワイヤー
１７  ストッパ取付部材
１８  ストッパ
１９  吊金具
２０  吊ワイヤー
２１  吊リング
３１  尺角
３２  子吊ワイヤー
４０  角落し
５０，６０，７０  上段，中段および下段角落し
５１，６１，７１  上段，中段および下段角落し扉体
５１ａ，６１ａ  上段および中段切欠部
５２，６２，７２  上段，中段および下段吊金具
５２ａ，６２ａ，７２ａ  上段，中段および下段吊ピン
５３，６３，７３  上段，中段および下段吊リング
１１１  角落し
１１２  コンクリート基礎
１１３  転倒防止用側壁
１１３ａ  固定用コンクリート
１１３ｂ  ゴム製緩衝材
１２１  海水取水口
１２２  角落し保管場所
１３１  クレーン
【図１】
2020060003.tif 000003
【図２】
2020060003.tif 000004
【図３】
2020060003.tif 000005
【図４】
2020060003.tif 000006
【図５】
2020060003.tif 000007
【図６】
2020060003.tif 000008